(57)【要約】【課題】できるだけ占有する基板面積が少なく、また部品点数も少なく、そして照明源も少なく済むダイアルプッシュスイッチユニット及びダイアルスイッチユニットを提供する。【解決手段】利用者がダイアルノブ１３を回転（矢印Ｂ）させても、その動作が、支持腕１３ｂを介してスイッチ１５には伝達されるが、プッシュノブ１１には伝達されないように構成する。また、利用者がプッシュノブ１１を押し下げても、その上下動がスイッチ１５に伝達されるが、ダイアルノブ１３には伝達されないように構成する。【選択図】図１
2004185927.tif 000002
【特許請求の範囲】
【請求項１】
略円盤形状をした天板部を有するプッシュノブと、略円筒形状であり前記プッシュノブの外周を囲むダイアルノブと、柱状の可動部を有し該可動部の中心軸方向の移動と中心軸周りの回転とを電気信号に変換する検出部を更に有するスイッチとを備え、
前記プッシュノブと前記ダイアルノブと前記スイッチとは、前記プッシュノブの前記天板部の中心軸と、前記ダイアルノブの中心軸と、前記スイッチの前記可動部の中心軸とが一致するよう設置され、
前記プッシュノブは、第１の係止部を有し、
前記ダイアルノブは、第２の係止部を有し、
前記スイッチの可動部は、第３の係止部と第４の係止部を有し、前記第３の係止部によって前記プッシュノブの第１の係止部と係止され、前記第４の係止部によって前記ダイアルノブの第２の係止部と係止され、
前記プッシュノブと前記スイッチの前記可動部とは、各々の中心軸を回転軸にして独立して回転し且つ中心軸方向の移動は連動し、前記ダイアルノブと前記スイッチの前記可動部とは、各々の中心軸を回転軸にして一体となって回転し且つ中心軸方向の移動は独立して動作可能に構成されていることを特徴とするダイアルプッシュスイッチユニット。
【請求項２】
請求項１に記載のダイアルプッシュスイッチユニットにおいて、
前記プッシュノブの前記第１の係止部又は前記スイッチの前記第３の係止部のうち、一方は係止片とその自由端に爪とを有し、他方は前記係止片と前記爪に対応した形状を有することにより、前記プッシュノブと前記スイッチの前記可動部とが各々の中心軸を回転軸にして独立して回転し且つ中心軸方向の移動は連動することを実現させていることを特徴とするダイアルプッシュスイッチユニット。
【請求項３】
請求項１又は請求項２に記載のダイアルプッシュスイッチユニットにおいて、
前記ダイアルノブの前記第２の係止部又は前記スイッチの前記第４の係止部のうち、一方はレールを有し、他方は前記レールに対応したレール溝を有することにより、前記ダイアルノブと前記スイッチの前記可動部とが各々の中心軸を回転軸にして一体となって回転し且つ中心軸方向は独立して移動することを実現させていることを特徴とするダイアルプッシュスイッチユニット。
【請求項４】
請求項１〜請求項３の何れかに記載のダイアルプッシュスイッチユニットにおいて、
前記プッシュノブは、前記天板部のうち利用者によって操作される面と反対面に、該面に対して垂直に延びるレール又はレール溝を有し、このレール又はレール溝が外部の基板に設けられた対応するレール又はレール溝と組み合うことによって、これらレール及びレール溝に平行な方向にのみ移動可能に外部の基板に支持されることを特徴とするダイアルプッシュスイッチユニット。
【請求項５】
請求項１〜請求項４の何れかに記載のダイアルプッシュスイッチユニットにおいて、
前記ダイアルノブは、外周にレール又はレール溝を有し、このレール又はレール溝が外部のホルダに設けられた対応するレール又はレール溝と組み合うことによって、当該ダイアルノブの中心軸を回転軸とする回転のみ許容されるよう外部のホルダに支持されることを特徴とするダイアルプッシュスイッチユニット。
【請求項６】
略円盤形状をしたベゼルと、略円筒形状であり前記ベゼルの外周を囲むダイアルノブと、柱状の可動部を有し該可動部の中心軸周りの回転を電気信号に変換する検出部を更に有するスイッチとを備え、
前記ダイアルノブと前記スイッチの前記可動部とは、各々の中心軸が一致するように設置され、前記ダイアルノブから延びる支持腕と前記可動部とが固定されることによって、各々の中心軸を回転軸にして一体となって回転することを特徴とするダイアルスイッチユニット。
【発明の詳細な説明】
【０００１】
【発明の属する技術分野】
回転部と非回転部とを有するダイアルプッシュスイッチユニット及びダイアルスイッチユニットに関する。
【０００２】
【従来の技術】
従来、空調のＯＮ／ＯＦＦと共に温度設定や風量設定等を行うことができるスイッチユニットが知られている。同様の機能を有するスイッチユニットはオーディオや情報機器等にも採用されている。
【０００３】
このようなスイッチユニットは、図５や図６や特許文献１に示すような構造となっている。図５に示すスイッチユニットは、基板５７の上にスイッチ５３が載置され、その上に円形のくぼみを有するベゼル５５をスイッチ５３の可動部５３ａが上方に突出するように載置し、スイッチ５３の可動部５３ａに凹状のダイアルプッシュノブ５１を凹部が下になるように固定している。図５（ａ）は、基板５７の上方から見たダイアルノブ５１及びその周辺を示す図である。また、図５（ｂ）は、図５（ａ）の切断線Ｌで示す位置でダイアルノブ５１及びその周辺を切断した断面図である。
【０００４】
スイッチ５３は、プッシュ機能付きのダイアルスイッチであり、略円柱形状の可動部５３ａとその可動部の動きを電気信号に変えて出力する検出部５３ｂとを備える。そして、利用者がダイアルプッシュノブ５１を矢印Ｍで示す方向に回すと、その動きに従ってスイッチ５３の可動部５３ａが回転され、検出部５３ｂから電気信号が出力されるようになっている。また、利用者がダイアルプッシュノブ５１を基板５７方向に押し下げると、その動きに従ってスイッチ５３の可動部５３ａが検出部５３ｂの方向に移動し、検出部５３ｂから電気信号が出力されるようになっている。
【０００５】
このように、ダイアルプッシュノブ５１は利用者の操作によって回転してしまうため、その上面に描かれる指標は回転しても読みにくくならない指標に限られていた。すなわち、ダイアルプッシュノブ５１の上面に文字を描くことは事実上できなかった。
【０００６】
そこで、このような問題を解決するために図６に示すようなスイッチユニットが考え出された。
図６に示すスイッチユニットは、基板７１の上にプッシュスイッチ６５と中空ダイアルスイッチ６７とが載置され、更にその上にプッシュノブ６１とダイアルノブ６３とを備え、プッシュノブ６１とダイアルノブ６３よりも大きい孔６９ａを有するベゼル６９をプッシュノブ６１とダイアルノブ６３とが上方に突出するように備えている。図６（ａ）は、基板７１の上方から見たプッシュノブ６１及びその周辺を示す図である。また、図６（ｂ）は、図６（ａ）の切断線Ｐで示す位置でプッシュノブ６３及びその周辺を切断した断面図である。
【０００７】
プッシュスイッチ６５は、プッシュノブ６１と接続されており、利用者によってプッシュスイッチ６５が押し下げられると、その動作に伴ってプッシュスイッチ６５から電気信号が出力されるようになっている。
また、中空ダイアルスイッチ６７は、ダイアルノブ６３と接続されており、利用者によってダイアルノブ６３が回されると、中空ダイアルスイッチ６７から電気信号が出力されるようになっている。
【０００８】
このように、利用者がダイアルノブ６３を回転させてもプッシュノブ６１は回転しないよう構成されており、文字のように回転すると読みにくくなる指標がプッシュノブ６１の表面に描かれていても問題は起こらない。
また、特許文献１に示す回転操作部構造も回転部と非回転部を有し、上述したような問題を回避できるよう構成されている。
【０００９】
【特許文献１】
特開２００２−２２６０号公報
【００１０】
【発明が解決しようとする課題】
ところが、図６に示したスイッチユニットは、中空ダイアルスイッチ６７が占有する基板面積が大きく、ＬＥＤ等の他の電子部品を配置する面積が減少する。また、市場に存在する中空ダイアルスイッチにはプッシュ機能を備えたものがなく、図６に示すようにダイアル機能のみを備えたプッシュスイッチ６５と組み合わせる必用があり部品点数の増加を招いていた。また、中空ダイアルスイッチ６７は、構造上プッシュスイッチ６５の外周を囲んでしまうため中空ダイアルスイッチ６７の外側から照明光を内側に導光することができず、プッシュノブ６１の指標等を照明するためには中空ダイアルスイッチ６７の内側に別に照明源が必用であった。
【００１１】
また、特許文献１に記載の回転操作部構造は、非回転部の押下動作を検出するためのスイッチと、回転部の回転動作をワイヤーの一次元運動に変換する機構とを有しており、大がかりな構造となっている。照明源も非回転部専用のものが用いられており、他の照明源を非回転部の照明にも流用することは困難である。
【００１２】
本発明はこのような問題に鑑み為されたものであり、できるだけ占有する基板面積が少なく、また部品点数も少なく、そして照明源も少なく済むスイッチユニットを提供することを目的とする。
【００１３】
【課題を解決するための手段及び発明の効果】
上記課題を解決するためになされた請求項１に記載のダイアルプッシュスイッチユニットは、略円盤形状をした天板部（１１ａ：この欄においては、発明への理解の容易化のため、必用に応じて実施の形態中で用いた符号を付すが、この符号によって請求の範囲を限定することを意味するものではない）を有するプッシュノブ（１１）と、略円筒形状でありプッシュノブの外周を囲むダイアルノブ（１３）と、柱状の可動部（１５ａ）を有しその可動部の中心軸方向の移動と中心軸周りの回転とを電気信号に変換する検出部（１５ｂ）を更に有するスイッチ（１５）とを備える。そして、プッシュノブとダイアルノブとスイッチとは、プッシュノブの天板部の中心軸と、ダイアルノブの中心軸と、スイッチの可動部の中心軸とが一致するよう設置され、プッシュノブは、第１の係止部（１１ｂ）を有し、ダイアルノブは、第２の係止部（１３ｂ）を有し、スイッチの可動部は、第３の係止部（１５ｃ）と第４の係止部（１５ｄ）を有し、第３の係止部によってプッシュノブの第１の係止部と係止され、第４の係止部によってダイアルノブの第２の係止部と係止される。そして、プッシュノブとスイッチの可動部とは、各々の中心軸を回転軸にして独立して回転し且つ中心軸方向の移動は連動し、ダイアルノブとスイッチの可動部とは、各々の中心軸を回転軸にして一体となって回転し且つ中心軸方向の移動は独立して動作可能なよう構成されている。
【００１４】
このように、本発明のダイアルプッシュスイッチユニットによれば、電気信号を出力するスイッチを１つのみ備えるため、部品点数は従来に比べて少ない。また、プッシュ機能付きダイアルスイッチを用いることができるため、中空ダイアルスイッチに比べて設置する基板の占有面積を少なくすることができる。また、プッシュ機能付きダイアルスイッチを用いることができるため、中空ダイアルスイッチを用いたときのように中空部の外側からの照明光が遮断されることがなく、プッシュノブに描かれた指標を照明するためだけに用いる光源を省くことができる。
【００１５】
ところで、プッシュノブの第１の係止部及びスイッチの第３の係止部の形状は、請求項２に記載のようになっているとよい。すなわち、プッシュノブの第１の係止部又はスイッチの第３の係止部のうち、一方は係止片とその自由端に爪とを有し、他方は係止片と爪に対応した形状を有するようになっているとよい。
【００１６】
このようになっていると、プッシュノブとスイッチの可動部とが各々の中心軸を回転軸にして独立して回転し且つ中心軸方向の移動は連動することを実現させることができる。尚、プッシュノブとスイッチの可動部とをベアリングを介して接続して同様のことを実現させてもよい。
【００１７】
また、ダイアルノブの第２の係止部及びスイッチの第４の係止部の形状は、請求項３に記載のようになっているとよい。すなわち、ダイアルノブの第２の係止部又はスイッチの第４の係止部のうち、一方はレールを有し、他方はレールに対応したレール溝を有するようになっているとよい。
【００１８】
このようになっていると、ダイアルノブとスイッチの可動部とが各々の中心軸を回転軸にして一体となって回転し且つ中心軸方向は独立して移動することを実現させることができる。
ところで、プッシュノブを支持する形状としては請求項４に記載のようになっているとよい。すなわち、プッシュノブは、天板部のうち利用者によって操作される面と反対面に、その面に対して垂直に延びるレール又はレール溝を有し、このレール又はレール溝が外部の基板に設けられた対応するレール又はレール溝と組み合うことによって、これらレール及びレール溝に平行な方向にのみ移動可能に外部の基板に支持されるようになっているとよい。他にも、車輪とレールとを有するようにしてもよい。
【００１９】
また、ダイアルノブを支持する形状としては請求項５に記載のようになっているとよい。すなわち、ダイアルノブは、外周にレール又はレール溝を有し、このレール又はレール溝が外部のホルダに設けられた対応するレール又はレール溝と組み合うことによって、当該ダイアルノブの中心軸を回転軸とする回転のみ許容されるよう外部のホルダに支持されるようになっているとよい。
【００２０】
ところで、プッシュノブを固定させて単なるベゼルとしてしまうことも考えられる。すなわち、請求項６に記載のように、略円盤形状をしたベゼルと、略円筒形状でありベゼルの外周を囲むダイアルノブと、柱状の可動部を有しその可動部の中心軸周りの回転を電気信号に変換する検出部を更に有するスイッチとを備え、ダイアルノブとスイッチの可動部とは、各々の中心軸が一致するように設置され、ダイアルノブから延びる支持腕と可動部とが固定されることによって、各々の中心軸を回転軸にして一体となって回転することを実現するようになっていてもよい。
【００２１】
このようなダイアルスイッチユニットは、請求項１〜請求項５の何れかに記載のダイアルプッシュスイッチユニットのプッシュ機能を省略したものに相当し、プッシュ機能が省略されているため、更に簡易な構成によって実現することができる。
【００２２】
【発明の実施の形態】
以下、本発明が適用された実施例について図面を用いて説明する。尚、本発明の実施の形態は、下記の実施例に何ら限定されることはなく、本発明の技術的範囲に属する限り種々の形態を採りうることは言うまでもない。
【００２３】
［第１実施例］
図１に第１実施例のダイアルプッシュスイッチユニット１を示す。ダイアルプッシュスイッチユニット１は、プッシュノブ１１とダイアルノブ１３とスイッチ１５とを備え、基板１９上に載置されている。また、孔１７ａが設けられたベゼル１７が、プッシュノブ１１とダイアルノブ１３とを上方へ突出させた形で、基板１９上に基板１９と平行に載置されている。図１（ａ）は、基板１９の上方から見たダイアルプッシュスイッチユニット１及びその周辺を示す図である。また、図１（ｂ）は、図１（ａ）の切断線Ａで示す位置でダイアルプッシュスイッチユニット１及びその周辺を切断した断面図である。
【００２４】
基板１９は、絶縁性を有する板材から構成され、その上下面に導電性を有する金属によって回路が形成されている。そして、基板１９上には、ホルダ２３を介してプッシュノブ１１及びダイアルノブ１３が載置されると共に、スイッチ１５及び光源２１が載置されている。
【００２５】
スイッチ１５は、詳しくは図２に示す形状を有している。すなわち、おおよそ円柱形状を有した円柱体がそれぞれの中心軸を揃えた形で５つ積み上げられた可動部１５ａと、直方体形状を有した検出部１５ｂとから構成される。可動部１５ａは、中心軸を回転軸にして回転させることができると共に、中心軸方向に移動させることによって検出部１５ｂ内に挿抜させることができる。検出部１５ｂは、これらの動きを検出し、電気信号に変換して基板１９上の回路に導出することができる。
【００２６】
また、可動部１５ａを構成する４つの円柱体のうち、最上部に位置する係止円柱体１５ｃ（特許請求の範囲に記載の第３の係止部に相当する）と、係止円柱体１５ｃと１つ間をおいて位置するレール溝円柱体１５ｄ（特許請求の範囲に記載の第４の係止部に相当する）と、更に１つ間をおいて位置する雄ねじ円柱体１５ｅとは、他の２つの円柱体より拡径している。尚、レール溝円柱体１５ｄは、外周部に中心軸と平行な複数のレール溝１５ｆを有する。また、雄ねじ円柱体１５ｅには、外周部にホルダ２３に固定するためのねじが切られている。
【００２７】
図１に戻り、プッシュノブ１１は、略円盤形状の天板部１１ａと、天板部１１ａの利用者が操作する面と反対の面の中央に設けられた係止部１１ｂ（特許請求の範囲に記載の第１の係止部に相当する）と、同じく天板部１１ａの利用者が操作する面と反対の面に設けられた円筒部１１ｅと、この円筒部１１ｅの内壁に設けられたレール部１１ｆとを備える。係止部１１ｂは、弾性力を有した係止片１１ｃと爪部１１ｄとを有する。係止片１１ｃは一端が天板部１１ａに垂直に取り付けられ、他端に爪部１１ｄが設けられている。尚、係止部１１ｂは複数存在し、これらは天板部１１ａの中央部分に略円筒を形成するように配置されており、爪部１１ｄが内側を向いている。このような係止部１１ｂによって、前述したスイッチ１５の係止円柱体１５ｃは抱き込まれるように支持される。この結果、プッシュノブ１１とスイッチ５とは、中心軸を回転軸にして独立して回転可能であって、上下方向には連動して移動するようになっている。
【００２８】
また、円筒部１１ｅは、天板部１１ａが蓋になるような位置に設置されている。尚、円筒部１１ｅは、切断面が楕円となるようにカット又はカットしたように成形されている。
また、レール部１１ｆは、円筒部１１ｅの内壁のうち上下方向に最も長い部分に、上下方向に設けられている。このレール部１１ｆは、後述するホルダ２３の第１のレール溝２３ａと組み合うようになっており、プッシュノブ１１が上下方向にのみ動くように制限する役割を担っている。
【００２９】
尚、プッシュノブ１１は、透明な樹脂成型品で、天板部１１ａに描かれた文字以外は光不透過な黒色塗装が施され、文字は光透過な白色塗装が施されている。ダイアルノブ１３は、円筒部１３ａと支持腕１３ｂとレール部１３ｃとを有する。円筒部１３ａは、その内径がプッシュノブ１１の天板部１１ａよりも拡径した円筒形状となっている。円筒部１３ａの下部には棒状の支持腕１３ｂが円筒部１３ａの中心軸方向に向かって延びており、支持腕１３ｂの先端部の係止部１３ｄは、円筒形状となっており前述したスイッチ１５のレール溝円柱体１５ｄを囲むことができるようになっている。そして、その内壁にはレール溝１５ｆに対応した図示しないレール（特許請求の範囲に記載の第２の係止部に相当する）が上下方向に設けられている。この結果、レールとレール溝１５ｆとが組み合うよう構成してあるため、ダイアルノブ１３とスイッチ１５とは、中心軸を回転軸にして一体となり回転し、上下方向には独立して動くことができるようになっている。
【００３０】
また、レール部１３ｃは、円筒部１３ａの外周面に沿って設けられた鍔状のレールである。このレール部１３ｃは、後述するホルダ２３の第２のレール溝２３ｂと組み合うようになっており、ダイアルノブ１３が中心軸を回転軸とした回転のみ行えるように制限する役割を担っている。尚、ダイアルノブ１３は、光不透過な成形樹脂材で形成されている。
【００３１】
ホルダ２３は、プッシュノブ１１とダイアルノブ１３を支持する役割を果たす。具体的には、ホルダ２３は、基板１９に据え付けられ、第１のレール溝２３ａと第２にレール溝２３ｂを備える。第１のレール溝２３ａは、前述したプッシュノブ１１のレール部１１ｆに対応した形状となっており、プッシュノブ１１が上下方向にのみ動くように制限する役割を果たしている。また、第２のレール溝２３ｂは、前述したダイアルノブ１３のレール部１３ｃに対応した形状となっており、ダイアルノブ１３が中心軸を回転軸とした回転のみ行うように制限する役割を担っている。尚、ホルダ２３はこのような役割を果たすものであればその他の部分はどのような形状であってもよい。また、ホルダ２３は光透過な樹脂によって形成されている。
【００３２】
ベゼル１７は、樹脂製の外装ケースである。プッシュノブ１１とダイアルノブ１３が突出する孔１７ａは、プッシュノブ１１及びダイアルノブ１３よりも拡径した円形となっている。尚、ベゼル１７は図示しない文字等の指標が描かれており、後述する光源２１によって照らされることにより利用者がその指標を視認できるようになっている。
【００３３】
光源２１は、プッシュノブ１１の天板部１１ａに描かれた文字やベゼル１７に描かれた指標を照らすものである。光の色は、白、緑、オレンジ等、利用者が視認しやすいものであれば、何色であってもよい。
このようにダイアルプッシュスイッチユニット１を構成したため、利用者がダイアルノブ１３を矢印Ｂに示す方向に回転させると、ダイアルノブ１３の回転が支持腕１３ｂを介してスイッチ１５の可動部１５ａに伝達される。これは、係止部１３ｄに設けた図示しないレールとスイッチ１５のレール溝１５ｆとが組み合うことによって実現される。そして、スイッチ１５の可動部１５ａが回転することにより、検出部１５ｂから回転に応じた電気信号が出力される。尚、スイッチ１５の可動部１５ａの回転は、プッシュノブ１１には伝達されない。なぜなら、プッシュノブ１１の係止部１１ｂとスイッチ１５の係止円柱体１５ｃとは、利用者によって回された方向には滑り合うためである。その結果、ホルダ２３のレール溝２３ａとプッシュノブ１１のレール部１１ｆにより回転方向の位置が固定されるためプッシュノブ１１は静止状態を保ち、プッシュノブ１１の天板部１１ａに描かれた文字が回転してしまって利用者にとって読みにくくなるというようなことは起こらない。
【００３４】
また、利用者がプッシュノブ１１を基板１９の方向に押し下げると、プッシュノブ１１の移動がスイッチ１５の係止円柱体１５ｃに伝わり、スイッチ１５の可動部１５ａを基板１９の方向に押し下げることになる。その結果、検出部１５ｂからプッシュノブ１１の移動に応じた電気信号が出力される。尚、スイッチ１５の可動部１５ａの移動は、ダイアルノブ１３に伝達されない。なぜなら、スイッチ１５のレール溝円柱体１５ｄと支持腕１３ｂとは、レール溝円柱体１５ｄに設けられたレール溝１５ｆと支持腕１３ｂに設けられたレールとが、上記移動の方向には滑り合うためである。その結果、ダイアルノブ１３は静止状態を保つ。
【００３５】
このように、本実施例のダイアルプッシュスイッチユニット１は、電気信号を出力するスイッチとしてスイッチ１５を１つのみで備えるため、部品点数は従来に比べて少ない。また、プッシュ機能付きダイアルスイッチ（スイッチ１５に相当する）を用いているため、従来の中空ダイアルスイッチに比べて設置する基板の占有面積を少なくすることができる。そして、中空ダイアルスイッチを用いたときのように中空部の外側からの照明光が遮断されることがなく、プッシュノブ１１に描かれた指標等を照明するためだけに用いる光源を省くことができる。
【００３６】
次に第２実施例について説明する。
［第２実施例］
図３に第２実施例のダイアルスイッチユニット３０を示す。ダイアルスイッチユニット３０は、意匠ベゼル３１とダイアルノブ３３とスイッチ３５とを備え、基板３９上に載置されている。また、孔４１ａが設けられたベゼル４１が、意匠ベゼル３１とダイアルノブ３３とを上方へ突出させた形で、基板３９上に基板３９と平行に載置されている。図３（ａ）は、基板３９の上方から見たダイアルスイッチユニット３０及びその周辺を示す図である。また、図３（ｂ）は、図３（ａ）の切断線Ｃで示す位置でダイアルスイッチユニット３０及びその周辺を切断した断面図である。
【００３７】
基板３９は、絶縁性を有する板材から構成され、その上下面に導電性を有する金属によって回路が形成されている。そして、基板３９上には、ホルダ４３を介して意匠ベゼル３１及びダイアルノブ３３が載置されると共に、スイッチ３５及び光源４５が載置されている。
【００３８】
スイッチ３５は、詳しくは図４に示す形状を有している。すなわち、おおよそ円柱形状を有した円柱体がそれぞれの中心軸を揃えた形で３つ積み上げられた可動部３５ａと、直方体形状を有した検出部３５ｂとから構成される。可動部３５ａは中心軸を回転軸にして回転させることができる。検出部３５ｂは、この動きを検出し、電気信号に変換して基板３９上の回路に導出することができる。
【００３９】
また、可動部３５ａを構成する３つの円柱体のうち、上部に位置する係止円柱体３５ｃは上面の断面形状が略Ｄ字状になるように一部がカット又はカットしたように成形されている。
図３に戻り、意匠ベゼル３１は、略円盤形状の天板部３１ａと、天板部３１ａの下面に設けられた円筒部３１ｂと、この円筒部３１ｂの内壁に設けられた固定部３１ｃとを備える。円筒部３１ｂが蓋になるような位置に設置されている。尚、円筒部３１ｂは、切断面が楕円となるようにカット又はカットしたように成形されている。また、固定部３１ｃは、円筒部３１ｂの内壁のうち上下方向に最も長い部分に設けられている。そして、この固定部３１ｃが後述するホルダ４３の固定部４３ａと固定される。尚、意匠ベゼル３１は、透明な樹脂成型品で、天板部３１ａに描かれた文字以外は光不透過な黒色塗装が施され、文字は光透過な白色塗装が施されている。
【００４０】
ダイアルノブ３３は、円筒部３３ａと支持腕３３ｂと固定部３３ｃとを備える。円筒部３３ａは、その内径が意匠ベゼル３１の天板部３１ａよりも拡径した円筒形状となっている。円筒部３３ａの下部には棒状の支持腕３３ｂが円筒部３３ａの中心軸方向に向かって延びており、支持腕３３ｂの先端には固定部３３ｃが設けられている。固定部３３ｃは、略円筒形状となっておりその内壁は前述したスイッチ３５の係止円柱体３５ｃに対応した形状となっており、ダイアルノブ３３とスイッチ３５とを固定するようになっている。この結果、ダイアルノブ３３とスイッチ３５とは、中心軸を回転軸にして一体となり回転する。
【００４１】
ホルダ４３は、意匠ベゼル３１を固定する役割を果たす。具体的には、ホルダ４３は、基板３９に据え付けられると共に固定部４３ａを備え、その固定部４３ａと意匠ベゼル３１の固定部３１ｃとによって意匠ベゼル３１を固定する。尚、ホルダ４３は、このような役割を果たすものであればどのような形状であってもよい。また、ホルダ４３は光透過な樹脂によって形成されている。
【００４２】
ベゼル４１は、樹脂製の外装ケースである。意匠ベゼル３１とダイアルノブ３３が突出する孔４１ａは、意匠ベゼル３１及びダイアルノブ３３よりも拡径した円形となっている。尚、ベゼル４１は図示しない文字等の指標が描かれており、後述する光源４５によって照らされることにより利用者がその指標を視認できるようになっている。
【００４３】
光源４５は、意匠ベゼル３１の天板部３１ａに描かれた文字やベゼル４１に描かれた指標を照らすものである。光の色は、白、緑、オレンジ等、利用者が視認しやすいものであれば、何色であってもよい。
このようにダイアルスイッチユニット３０を構成したため、利用者がダイアルノブ３３を矢印Ｄに示す方向に回転させると、ダイアルノブ３３の回転が支持腕３３ｂを介してスイッチ３５の可動部３５ａに伝達される。そして、スイッチ３５の可動部３５ａが回転することにより、検出部３５ｂから回転に応じた電気信号が出力される。尚、スイッチ３５の可動部３５ａの回転は、意匠ベゼル３１には伝達されないため、意匠ベゼル３１は静止状態を保ち、意匠ベゼル３１の天板部３１ａに描かれた文字が回転してしまって利用者にとって読みにくくなるというようなことは起こらない。
【００４４】
このように、本実施例のダイアルスイッチユニット３０は、実施例１に記載のダイアルプッシュスイッチユニット１のプッシュ機能を省略したものに相当し、プッシュ機能が省略されているため、より簡易な構成によって実現することができる。
【００４５】
以下、他の実施例について述べる。
上記第１実施例では、図１においてプッシュノブ１１のレール部１１ｆがレールの形状を有し、ホルダ２３の第１のレール溝２３ａがレール溝の形状を有していたが、逆であってもよい。すなわち、プッシュノブ１１のレール部１１ｆがレール溝の形状を有し、ホルダ２３の第１のレール溝２３ａがレールの形状を有していてもよい。このようにしても同様の機能を果たすことができる。
【００４６】
また、同様にダイアルノブ１３の支持腕１３ｂの先端に設けられたレールの代わりにレール溝を設け、スイッチ１５のレール溝円柱体１５ｄに設けられたレール溝１５ｆの代わりにレールを設けてもよい。
また、同様にダイアルノブ１３のレール部１３ｃの代わりにレール溝を設け、ホルダ２３の第２のレール溝２３ｂの代わりにレールを設けてもよい。このようにしても同様の機能を果たすことができる。
【図面の簡単な説明】
【図１】第１実施例のダイアルプッシュスイッチユニットを説明するための図面である。
【図２】第１実施例のスイッチを説明するための図面である。
【図３】第２実施例のダイアルスイッチユニットを説明するための図面である。
【図４】第２実施例のスイッチを説明するための図面である。
【図５】従来のスイッチユニットを説明するための図面である。
【図６】従来のスイッチユニットを説明するための図面である。
【符号の説明】
１・・・ダイアルプッシュスイッチ、
１１・・・プッシュノブ、
１１ａ・・・天板部、
１１ｂ・・・係止部、
１１ｃ・・・係止片、
１１ｄ・・・爪部、
１１ｅ・・・円筒部、
１１ｆ・・・レール部、
１３・・・ダイアルノブ、
１３ａ・・・円筒部、
１３ｂ・・・支持腕、
１３ｃ・・・レール部、
１３ｄ・・・係止部
１５・・・スイッチ、
１５ａ・・・可動部、
１５ｂ・・・検出部、
１５ｃ・・・係止円柱体、
１５ｄ・・・レール溝円柱体、
１５ｅ・・・雄ねじ円柱体
１５ｆ・・・レール溝、
１７・・・ベゼル、
１７ａ・・・孔、
１９・・・基板、
２１・・・光源
２３・・・ホルダ、
２３ａ・・・第１のレール溝、
２３ｂ・・・第２のレール溝、
３０・・・ダイアルスイッチユニット、
３１・・・意匠ベゼル、
３１ａ・・・天板部、
３１ｂ・・・円筒部、
３１ｃ・・・固定部、
３３・・・ダイアルノブ、
３３ａ・・・円筒部、
３３ｂ・・・支持腕、
３３ｃ・・・固定部、
３５・・・スイッチ、
３５ａ・・・可動部、
３５ｂ・・・検出部、
３５ｃ・・・係止円柱体、
３９・・・基板、
４１・・・ベゼル、
４１ａ・・・孔、
４３・・・ホルダ、
４３ａ・・・固定部、
４５・・・光源。
【図１】
2004185927.tif 000003
【図２】
2004185927.tif 000004
【図３】
2004185927.tif 000005
【図４】
2004185927.tif 000006
【図５】
2004185927.tif 000007
【図６】
2004185927.tif 000008